(57)【要約】      （修正有）【課題】下水汚泥、生ゴミ、医療廃棄物、動物排泄物等の含水率の高い物を連続的に効率良く処理する。【解決手段】廃棄物投入ホッパ１６から投入された含水率の高い物は、投入用スクリュウ１４を経て、回転炉５に入る。回転炉５は傾斜しており、モータ４により連続回転される。バーナー９の熱により処理され、灰となり、排出口１より排出される。回転炉５外側に磁石１３を配置し、温度の維持、熱効率の向上を図った。バーナー９の空気取入口に磁石を配置し、空気のイオン化を計り、炉内にセラミックボールをセットし、イオン化を促進した。【選択図】図１
2011085377.tif 000002
【特許請求の範囲】
【請求項１】
地磁気応用の分解炉である
【請求項２】
永久磁石を取りいれ、炉内に分子レベルで廃棄物を分解させた
【請求項３】
磁石の応用範囲を広げた、バーナーにも磁石を採用した
【請求項４】
連続投入を可能にした
【請求項５】
２４時間連続運転が可能にした
【請求項６】
含水率の高い物でも分解を可能にした
【請求項７】
炉内にセラミックボールをセットし、イオン化を促進した
【請求項８】
廃油バーナーを採用した事により燃費の向上を計った
【請求項９】
炉の外側にも磁石を配置し、温度の維持を計った
【請求項１０】
煙や臭いを限りなく消すことが出来た。
【請求項１１】
インナーパイプに、蒸気取り出しようのパイプを取り付け蒸気を取りいれ、蒸気発電装置とした。
【発明の詳細な説明】
【技術分野】
【０００１】汚泥を焼却せずに分子レベルでの分解を目的とした、この事によりＣＯ２削減に大きな貢献が出来ます。【０００２】空気誘導を磁石によりイオン化の向上を計り、よって分解性能の促進が図れた、磁石の配置にも幾つか試みた。【０００３】地磁気と、静磁場を築く磁石は早くから知られているところであるが、これこそ多くの未知数が秘められておる者と思われ、それに挑戦しょうと試みたものである。【０００４】磁石の間をすり抜けた空気は、空気分子をより細いクラスターになるため、イオン化になりやすく、より分子分解の環境を整える事となる。【０００５】水分を飛ばすことも肝要であるが、蒸気の始末にも挑戦が試みられた。【０００６】熱源として採用されておる、バーナーは、廃油バーナーを採用した、廃油といえども消耗が激しければ意味がないことであるため、短時間の稼働にて細大の効果を引き出すことにも挑戦した。【０００７】８０％の含水率の汚泥を、連続的にしかも、分解速度をより早く行えるように挑戦した。【０００８】バーナーの空気取りいれ口にも、磁石を配置し空気のイオン化を計った。【０００９】バーナーの熱とイオン化した空気と、ふいごの役をするイオン化された空気を同時に吹き込むことにより、分解効率の向上を計った。【００１０】バーナーを一時的に遮断しても、磁気空気のみで分解しうるよう、燃料削減をも試みた。【００１１】炉内に吹き込まれたイオン化された空気により、分子認可い速度の向上に貢献できるよう挑戦した。【００１２】炉内の状態の把握は困難であるが、およその見当は今日の化学の発達により解明出来つつあります、ウラン原子核に、中性子を照射する事によりバリュウムが生じる事で核分裂が起こります、この事から有機物分子にイオン化された空気は核分裂に相当するものではと思われる。【００１３】少量の熱源で多くの熱を得るには、分子分解時に招じる熱分解を招くことによるほか有りません。【００１４】有機物を分解すると、４大元素に分解することがわかる、即ち、酸素  水素、窒素、炭素  であるが  リン、も多く産出されるため、肥料として土地改良材として再使用出来るため、二次処分が不要となる、従って、埋めたてる必要もなくなり、リサイクルできるのである。【００１５】スラッジは、二次製品としてブロックなどのセメン商品に、骨材として再使用できるものである。【００１６】りんや窒素が多いことから、植物に与えますと糖分が多く含まれることになり、元気が出ることと、甘くなることが、実証された。【００１７】２４時間連続運転と、燃料の削減と分解効率おも可能にした。【００１８】インナーパイプに水を通し、蒸気を発生させ、蒸気発電設備とした。
【背景技術】
【００１９】
【非特許文献１】特願  ２００６−１５７８００
【非特許文献２】特願  ２００６−２５６４６１
【発明の開示】
【００２０】下水処理場の、有機物廃棄処分に多大な貢献が出来るものである。
現状では、埋め立てしか考えられないものを、再使用出来るように考え、又、１００分の１以上の減量、減蓉にも貢献出来るものである。
【００２１】磁石の応用により、吹き出し空気が磁気を帯びたイオン化酸素の、効力を限りなく応用したものである。
【００２２】汚泥を焼却するようなことなく分解することによる、酸化する工程を排除したため、ＣＯ２の排出が著しく低減できた。
【００２３】２４時間連続運転が可能になり、煙も異臭も一切出すことのない、システムとした。
【発明が解決しようとする課題】
【００２４】汚泥の速やかな減蓉、減量と二次製品の可能な商品とすること、その過程に於いて、環境に限りなく貢献できるものを目指した。
【００２５】下水汚泥のみならず、生ゴミ、医療廃棄物、動物排泄物全般にも応用可能にした、即ち、含水率の高い物でも分解可能とした。
【課題を解決するための手段】
【００２６】限りなく含水率の高い物を、分解可能にするために回転式とした、この事によりスピードＵＰが計られることが可能となり、尚かつ、環境に貢献出来た
【００２７】バーナーの燃料節約に大いに活躍するのが、セラミックボールである、この効果は熱の減速を計り、マイナスイオンの効率を高めるための仕掛けである。この仕掛けにより熱効率が著しい効率を実現した。
【００２８】回転炉の外側にも磁石を配置し、熱効率の向上を計った。
【００２９】回転炉の中にあるパイプに水を通すことにより、蒸気発生装置とした。
【発明の効果】
【００３０】従来の縦型分解炉では得られなかった幾つかの問題が解決した。
連続運転での、熱効率の向上、完全商品化にこぎ着けた。
【００３１】汚泥を完全商品化（残渣のリサイクル可能度）の向上を見た。
【００３２】蒸気発電を兼備さすことで、ゴミによる発電が可能となった。
【発明を実施するための最良の形態】
【００３３】設備、施設は最小でことがすみ、従来の何億という金額でなく、数千万で事がすみ、耐久性も数十年は確保でき、土地面積も数百坪もあれば十分である事から、離村の廃棄物が地元で処分可能となり、残渣は肥料となるため、離島などにはうってつけである、安心、安全、安価おまけに無公害であることが実証されている。【００３４】無煙・無臭にするには、水中バッキを採用しており、これらにも、磁石の効用を遺憾なく発揮出来るよう工夫した、その事により、限りなく無煙・無臭になることが実証された。（アクアブラスー）採用。【００３５】８０％以上の含水率のある汚泥を完全に微粉末（１００分の１以上に分解するには、１０００×８，０００の回転炉が必要である、１分間に３〜６回転の早さで回転させることにより、１時間当たり１〜２ｍ３の汚泥を微粉末に分解することが出来る。
【実施例】
【００３６】テスト機は、８００×８，０００の回転分解炉を制作した。
【産業上の使用可能性】
【００３７】下水汚泥は、都市部の産業廃棄物である、汚泥は宝の山である、只単に埋めたてのみに頼らず、完全無害の灰にすれば、自然界に戻してやればいいことである、従ってこの分解炉こそが各地域に貢献できるものである。
【００３８】大型住居、離島、離村、工場、ホテル、病院、等々に設置かのうである、また、灰は、土地改良に最適である、二次公害を無くしました。
【００３９】汚泥を埋めたてることなく、再使用できるため、ＣＯ２の削減は元より各工程での損出を排除する事ができた。
【００４０】ゴミ発電で大きく世間に広めることが出来た。
【図面の簡単な説明】
【００４１】
【図１】回転式・有機物分解装置の概要  ［符号の説明］１，灰排出口、２，本体台、３，架台、４，回転用モーター、５，回転炉  ６，回転炉案内バンド、７，カバー、８，回転炉の傾斜角度１０度とした。９，バーナー、１０，内側回転炉、１１，断熱材、１２，回転用チエン、１３，回転炉外側に磁石を配置、１４，投入用スクリュウ、１５，排気筒  １６，廃棄物投入用ホッパー、
【図２】吸気用パイプに施されている磁石の配置  ［符号の説明］１，空気取りいれパイプ、２，磁石用カバー、３，磁石、４，断熱材
【図３】吸気用パイプ断面図  ［符号の説明］１，吸気用パイプ、２，磁石用カバー、３，磁石、４，断熱材
【図４】セラミックボール配置図  ［符号の説明］１，内側炉壁、２，４５×４５鋼鉄アングル、３，アングル溝２０ｍｍ、４，４０ｍｍセラミックボール、５，セラミックボール、押さえ金具  ６，回転用案内鋼鉄板５×５０×２００
【図５】回転炉断面図  ［符号の説明］１，回転炉外側鋼鉄板６ｍｍ２，断熱板、３，内側鋼鉄板に貼り付けられた鋼鉄アングル、４，４０ｍｍセラミック・ボール、５，セラミック押さえ用鋼鉄板６×３０×５０、６，回転用案内鋼板、
【図６】蒸気取りいれ用配管設備  ［符号の説明］１，廃油バーナー、２，水道水配管往、３，蒸気管復、４，蓄熱水用タンク  ５，蒸気発電機（市販製品）、６，中央発熱用パイプ、ステンレース６ｍｍ×４００×１，５００
【図１】
2011085377.tif 000003
【図２】
2011085377.tif 000004
【図３】
2011085377.tif 000005
【図４】
2011085377.tif 000006
【図５】
2011085377.tif 000007
【図６】
2011085377.tif 000008